(57)【要約】【課題】葉書を作成する際に糊付けを行なう必要がなく、葉書作成用紙で作成された葉書に記入された個人情報を、外部から認識できないようにした控え用紙付き封書用紙。【解決手段】矩形状を有する第１シート状基材上に、該シート状基材の横幅寸法よりも狭い横幅寸法で形成された第２シート状基材と第３シート状基材とが並べられた状態で重ね合わされ、所定部分で接着され、前記第１シート状基材は、複数の縦方向に形成されたミシン目により、左側から順番に、第１封書用紙片と、第２封書用紙片と、封書内への折り込み用紙片と、に区分けされ、前記第１封書用紙片は、該第１封書用紙片の表面上に、前記ミシン目が形成された一端辺側を除く他の３周辺に沿って粘着剤層が設けられ、更に、前記粘着剤層が設けられていない領域上に接着剤層が設けられ、また、前記ミシン目に沿った部分と、上端片及び下端辺に沿った部分とに切り取り用ミシン目が形成されている。【選択図】        図１
2010076104.tif 000002
【特許請求の範囲】
【請求項１】
矩形状を有する第１シート状基材上に、前記第１シート状基材の横幅寸法よりも狭い横幅寸法で形成された第２シート状基材と第３シート状基材とが並べられた状態で重ね合わされ、所定部分で接着されてなる控え用紙付き封書用紙であって、
前記第１シート状基材は、複数の縦方向に形成されたミシン目により、左側から順番に、第１封書用紙片と、第２封書用紙片と、封書内への折り込み用紙片と、に区分けされ、
前記第１封書用紙片は、該第１封書用紙片の表面上に、前記ミシン目が形成された一端辺側を除く他の３周辺に沿って粘着剤層が設けられ、更に、前記粘着剤層が設けられていない領域上に接着剤層が設けられ、また、前記ミシン目に沿った部分と、上端片及び下端辺に沿った部分とに切り取り用ミシン目が形成され、
前記第２封書用紙片は、前記ミシン目が形成された一端辺側に沿った部分に剥離可能な接着剤層が設けられ、更に、該剥離可能な接着剤層が設けられた内側であって、前記ミシン目が形成された一端辺側に沿った部分と、上端片及び下端辺に沿った部分と、に切り取り用ミシン目が形成され、
前記第３封書用紙片は、上端片及び下端辺に沿った部分に剥離可能な接着剤層が設けられ、更に、該剥離可能な接着剤層が設けられた内側であって、上端片及び下端辺に沿った部分に切り取り用ミシン目が形成され、
前記第２シート状基材は、前記第１シート状基材の前記第１封書用紙片と同じ縦横寸法で形成され、該第１封書用紙片の上側と重ね合わされ、また、前記第１封書用紙片上に設けられた粘着剤層と重なり合う裏面の領域に剥離剤層が設けられ、更に、前記剥離剤層が設けられた領域部分を切り取り可能な部分に切り込みが形成され、更に、前記第１封書用紙片に形成された縦方向の切り取り用ミシン目と重なる部分に切り取り用ミシン目が形成され、
前記第３シート状基材は、前記第１シート状基材の前記第２封書用紙片及び前記折り込み用紙片と同じ縦横寸法で形成され、前記第２封書用紙片及び前記折り込み用紙片の上側と重ね合わされ、更に、前記第２封書用紙片及び前記折り込み用紙片の上面に設けられた剥離可能な接着剤層により、剥離可能に接着されていることを特徴とする控え用紙付き封書用紙。
【発明の詳細な説明】
【技術分野】
【０００１】
本発明は、口座振替の申込みを郵送で行なう際などに使用するための、控え用紙と、封書作成用紙とを一体化させた構成を有する控え用紙付き封書用紙に関する。
控え用紙付き封書作成用紙
【背景技術】
【０００２】
従来、口座振替の申込みを郵送で行なうには、口座振替申込葉書シートを用いるという方法があった。
この口座振替申込葉書シートは、裏面に宛名情報記入部が設けられ、また表面に口座振替に必要な事項を記入するための事項記入欄が設けられた葉書紙片と、更に、表面に、この葉書紙片の事項記入欄に必要事項を記入する際の記入要領が記載され、該表面を葉書紙片の表面に折り合わせて事項記入欄を隠蔽する隠蔽紙片とを折り部を境に連接されてなり、前記隠蔽紙片の重ね合わせ面の全体に剥離後再接着可能な接着剤を設ける一方、前記接着剤を保護するための剥離紙で形成した保護片が設けられてなる構成を有している。
【０００３】
そして、口座振替申込葉書シートから口座振替申込葉書を作成するには、隠蔽紙片の表面に記載されている記入要領を参考にしながら、葉書紙片の事項記入欄に申込者の隠蔽すべき個人情報を記入した後、隠蔽紙片の保護片を剥離し、葉書紙片の表面と、隠蔽紙片の表面と、を折り部から折り重ね合わせ、接着剤で三辺を剥離不能に接着していた。
【０００４】
上記従来の方法では、二枚の紙片を剥離可能に接着した葉書を用いて口座振替申込を行なうので、二紙片を剥離すれば申込の内容を第三者が視認可能であって、親展性に欠けるという問題があった。
【０００５】
また、他の方法として、二枚の紙片を２つに折り畳んで接着して封書を作成して口座振替申込を行なうことも知られている。（例えば、特許文献１参照）
しかしながら、２つに折り畳んだ紙片を透かして内部に記載された内容を盗み見られるという危険性もあり、この場合も親展性に欠けるという問題があった。
【０００６】
また、例えば、申込書を封書化させて郵送する場合には、申込者側が不要部分の切り取りを行い、所定部分に糊付けを行なった後に巻き折りすることで、封書を作成することができるように構成された巻き折り加工用紙などが知られている。
このような封書作成用紙を有する巻き折り用紙については、既に種々の仕様のものが知られている。（例えば、特許文献２〜４参照）
【０００７】
【特許文献１】特開平１１−１０５４６７号公報
【特許文献２】特開２００２−５４３２３号公報
【特許文献３】特開２００３−２００６８０号公報
【特許文献４】特開２００３−４３２７１５号公報
【特許文献５】特開２００６−４４０８０号公報
【０００８】
しかしながら、従来の封書作成用紙を有する用紙は、封書を作成する際に、糊代部分に顧客が自分で糊付けを行なわなければならないので不便であるという問題がある。
また、顧客が、封書作成用紙片に個人情報を直接記入した場合には、筆圧により用紙に凹凸が形成されたり、筆跡が封書の外側から透かして見えたりして、記入事項が認識しやすく、個人情報が漏洩する危険性が高いという問題がある。
【発明の開示】
【発明が解決しようとする課題】
【０００９】
そこで、本発明は、封書作成用紙から封書を作成する際に、糊代部分に顧客が自分で糊付けを行なう必要がなく、また、封書作成用紙で作成された封書に記入された個人情報を、外部から認識できない状態にして情報の漏洩を防止でき、更に、記入した内容を複写して控えておくことができる控え用紙を封書作成用紙と一体化させることで、使用者の利便性を高めた控え用紙付き封書用紙を提供する。
【課題を解決するための手段】
【００１０】
本発明の控え用紙付き封書用紙は、矩形状を有する第１シート状基材上に、前記第１シート状基材の横幅寸法よりも狭い横幅寸法で形成された第２シート状基材と第３シート状基材とが並べられた状態で重ね合わされ、所定部分で接着されてなる控え用紙付き封書用紙であって、前記第１シート状基材は、複数の縦方向に形成されたミシン目により、左側から順番に、第１封書用紙片と、第２封書用紙片と、封書内への折り込み用紙片と、に区分けされ、前記第１封書用紙片は、該第１封書用紙片の表面上に、前記ミシン目が形成された一端辺側を除く他の３周辺に沿って粘着剤層が設けられ、更に、前記粘着剤層が設けられていない領域上に接着剤層が設けられ、また、前記ミシン目に沿った部分と、上端片及び下端辺に沿った部分とに切り取り用ミシン目が形成され、前記第２封書用紙片は、前記ミシン目が形成された一端辺側に沿った部分に剥離可能な接着剤層が設けられ、更に、該剥離可能な接着剤層が設けられた内側であって、前記ミシン目が形成された一端辺側に沿った部分と、上端片及び下端辺に沿った部分と、に切り取り用ミシン目が形成され、前記第３封書用紙片は、上端片及び下端辺に沿った部分に剥離可能な接着剤層が設けられ、更に、該剥離可能な接着剤層が設けられた内側であって、上端片及び下端辺に沿った部分に切り取り用ミシン目が形成され、前記第２シート状基材は、前記第１シート状基材の前記第１封書用紙片と同じ縦横寸法で形成され、該第１封書用紙片の上側と重ね合わされ、また、前記第１封書用紙片上に設けられた粘着剤層と重なり合う裏面の領域に剥離剤層が設けられ、更に、前記剥離剤層が設けられた領域部分を切り取り可能な部分に切り込みが形成され、更に、前記第１封書用紙片に形成された縦方向の切り取り用ミシン目と重なる部分に切り取り用ミシン目が形成され、前記第３シート状基材は、前記第１シート状基材の前記第２封書用紙片及び前記折り込み用紙片と同じ縦横寸法で形成され、前記第２封書用紙片及び前記折り込み用紙片の上側と重ね合わされ、更に、前記第２封書用紙片及び前記折り込み用紙片の上面に設けられた剥離可能な接着剤層により、剥離可能に接着されていることを特徴とする。
【発明の効果】
【００１１】
本発明の控え用紙付き封書用紙は、予め封書を作成する際に接着するための粘着剤がシート基材の所定部分に塗布されているので、封書作成用紙から封書を作成する際に、糊代部分に顧客が自分で糊付けを行なう必要がなく、また、記入された個人情報が折り込み用紙片で封書内に巻き込まれた状態で密封されるので、記入された個人情報が外部から認識できない状態とすることができて情報の漏洩を防止でき、更に、記入した内容を複写可能とするとした構成を有しているのるで、使用者の利便性を高めることができるという効果がある。
【発明を実施するための最良の形態】
【００１２】
以下、本発明の実施形態に係る控え用紙付き封書用紙を図面に基づいて詳細に説明する。
図１には、本発明の実施形態に係る控え用紙付き封書用紙の平面図、図２には、図１のＡ−Ａ線断面図、図３には、本発明の実施形態に係る控え用紙付き封書用紙を構成する各用紙を分離させた状態を示す平面図が示されている。
図１及び図２に示すように、本発明の実施形態に係る控え用紙付き封書用紙１は、矩形状を有する第１シート状基材２上に、前記第１シート状基材２の横幅寸法よりも狭い横幅寸法で形成された第２シート状基材３と第３シート状基材４とが並べられた状態で重ね合わされ、更に、第３シート状基材４の上側に、該第３シート状基材４と同じ縦横寸法で形成された取扱説明記載用紙片５が剥離可能に接着されている。
【００１３】
まず、図３に基づいて、第１シート状基材２について説明する。
第１シート状基材２は、複数の縦方向に形成された２本のミシン目６，７により、左側から順番に、第１封書用紙片２ａと、第２封書用紙片２ｂと、封書内への折り込み用紙片２ｃと、に区分けされており、更に、折り込み用紙片２ｃは、２本のミシン目８，９により、第１折り込み用紙片２ｃ−１と、第２折り込み用紙片２ｃ−２と、第３折り込み用紙片２ｃ−３とに区分けされている。
【００１４】
第１封書用紙片２ａは、該第１封書用紙片２ａの表面上において、前記ミシン目６が形成された一端辺側を除く他の３周辺に沿って粘着剤層１０が設けられており、更に、前記粘着剤層１０が設けられていない領域上に接着剤層１１が設けられている。
また、第１封書用紙片２ａには、前記ミシン目６に沿った部分と、該第１封書用紙片２ａの上端片及び下端辺に沿った部分と、にそれぞれ切り取り用ミシン目１２，１３，１４が形成されている。
【００１５】
次に、第１シート状基材２の第２封書用紙片２ｂには、前記ミシン目６が形成された一端辺側に沿った部分に剥離可能な接着剤層１６が設けられている。
更に、該剥離可能な接着剤層１５が設けられた内側であって、前記ミシン目６が形成された一端辺側に沿った部分と、上端片及び下端辺に沿った部分と、に切り取り用ミシン目１３，１４，１５が形成されている。
そして、第１封書用紙片２ａと第２封書用紙片２ｂとは、同一の縦横寸法で形成されており、ミシン目６から２つに折り畳んだ際で封書の表裏紙片となる。
【００１６】
次に、第１シート状基材２の第３封書用紙片２ｃには、該第３封書用紙片２ｃの上端片及び下端辺に沿った部分に、剥離可能な接着剤層１６が設けられている。
更に、該剥離可能な接着剤層１６が設けられた内側であって、該第３封書用紙片２ｃの上端片及び下端辺に沿った部分に、それぞれ切り取り用ミシン目１３，１４が形成されている。
また、折り込み用紙片２ｃは、２本のミシン目８，９により、第１折り込み用紙片２ｃ−１と、第２折り込み用紙片２ｃ−２と、第３折り込み用紙片２ｃ−３とに区分けされているが、それら各紙片の横幅寸法は、第１封書用紙片２ａや第２封書用紙片２ｂの横幅寸法よりも短い寸法で形成され、少なくとも、第１折り込み用紙片２ｃ−１と、第２折り込み用紙片２ｃ−２と、第３折り込み用紙片２ｃ−３と、をミシン目７，８，９から巻き折りした際に、巻き折りした紙片の一部が剥離可能な接着剤層１６に重ならない状態となるように寸法が形成されている。
【００１７】
次に、第２シート状基材３は、前記第１シート状基材２の前記第１封書用紙片２ａと同じ縦横寸法で形成されており、該第１封書用紙片２ａの上側と重ね合わされている。
また、前記第１シート状基材２の第１封書用紙片２ａ上に設けられた粘着剤層１０と重なり合う裏面の領域には、剥離剤層１８が設けられている。
更に、前記剥離剤層１８が設けられた領域部分を切り取り可能な部分には、切り込み１９が形成されており、また、前記第１封書用紙片２ａに形成された縦方向の切り取り用ミシン目１２と重なる部分には、切り取り用ミシン目２０が形成されている。
【００１８】
次に、前記第３シート状基材４は、前記第１シート状基材２の前記第２封書用紙片２ｂ及び前記折り込み用紙片２ｃと、を合わせた大きさと同じ縦横寸法で形成されている。
そして、第３シート状基材４は、前記第２封書用紙片２ｃ及び前記折り込み用紙片２ｂの上側と重ね合わされ、更に、前記第２封書用紙片２ｂ及び前記折り込み用紙片２ｃの上面に設けられた剥離可能な接着剤層１６により、剥離可能に接着されている。
第３シート状基材４には、第１シート状基材２に形成されたミシン目７，８，９と重なる位置に、それぞれミシン目２１，２２，２３が形成されている。
更に、第３シート状基材４に左端部には、剥離可能な接着剤層２４が設けられている。
第３シート状基材４の裏面と、第１シート状基材２の表面とは、ノーカーボン複写などで複写可能に構成されている。
【００１９】
次に、本発明の実施形態に係る控え用紙付き封書用紙１の使用方法を、図４〜図７に基づいて説明する。
まず、控え用紙付き封書用紙１の使用者は、第３シート状基材４の表面に申込み事項などの必要事項を記入することで、第１シート状基材２の表面に記入内容を複写させる。
【００２０】
次に、図４に示すように、第３シート状基材４を第１シート状基材２上から剥離させた後に、第１シート状基材２により封書の作成を行なう。
封書作成に際しては、まず第１折り込み用紙片２ｃ−１、第２折り込み用紙片２ｃ−２、第３折り込み用紙片２ｃ−３、の各紙片の上下端部に形成されている切り取り用ミシン目１３，１４から各紙片の一部分を切り取る、
更に、第１シート状基材２上に接着されている第２シート状基材３について、切り込み１９が形成されている外側部分を剥離させることで、第１シート状基材２上に設けられている粘着剤層１０を表出させる。
【００２１】
次に、第１折り込み用紙片２ｃ−１から順番に折り畳んで、第１折り込み用紙片２ｃ−１を第２折り込み用紙片２ｃ−２上に重ね合わせ、次ぎに、第３折り込み用紙片２ｃ−３上に重ね合わせ、更に、それらを第２封書用紙片２ｂ上に重ね合わせた後に、最後に、ミシン目６から第１封書用紙片２ａと第２封書用紙片２ｂを重ね合わせて、粘着剤層１０により三周辺部分を接着させることで、図５に示すような密封された封書を作成する。
作成された封書は、所定部分に宛先情報を表示することで郵便封書として郵送する。
【００２２】
また、その封書の受取人が、封書の開封を行なう場合には、切り取り用ミシン目１３，１４，１５から３辺側を切り取り、封書の内部に折り畳まれている、第１折り込み用紙片２ｃ−１、第２折り込み用紙片２ｃ−２、第３折り込み用紙片２ｃ−３、の各紙片を、図６に示すように引き伸ばし、更に、図７に示すように、ミシン目７から切り取ることで折り込み用紙片２ｃの部分を切り取って保管などすることができる。
【００２３】
上記のように、本発明の控え用紙付き封書作成用紙は、封書作成用紙から封書を作成する際に、糊代部分に顧客が自分で糊付けを行なう必要がなく、また、封書作成用紙で作成された封書に記入された個人情報を、外部から認識できない状態にして情報の漏洩を防止でき、更に、記入した内容を複写して控えておくことができる控え用紙を封書作成用紙と一体化させることで、使用者の利便性を高めることができる。
【図面の簡単な説明】
【００２４】
【図１】本発明の実施形態に係る控え用紙付き封書用紙の平面図である。
【図２】図１のＡ−Ａ線断面図である。
【図３】本発明の実施形態に係る控え用紙付き封書用紙を構成する各用紙を分離させた状態を示す平面図である。
【図４】本発明の実施形態に係る控え用紙付き封書作成用紙の封書作成方法を説明するための図である。
【図５】本発明の実施形態に係る控え用紙付き封書作成用紙から作成された封書の平面図である。
【図６】本発明の実施形態に係る控え用紙付き封書作成用紙から作成された封書を開封させた状態を示す斜視図である。
【図７】本発明の実施形態に係る控え用紙付き封書作成用紙から作成された封書を開封させた後に、第３シート状基材の所定部分を切り離した状態を示す斜視図である。
【符号の説明】
【００２５】
１  控え用紙付き封書作成用紙
２  第１のシート状基材
２ａ  第１封書用紙片
２ｂ  第２封書用紙片
２ｃ  折り込み用紙片
２ｃ−１  第１折り込み用紙片
２ｃ−２  第２折り込み用紙片
２ｃ−３  第３折り込み用紙片
３  第２のシート状基材
４  第３シート状基材
５  取扱説明記載用紙片
６，７，８，９，２０，２１，２２，２３，２５，２６，２７  ミシン目
１０  粘着剤層
１２，１３，１４  切り取り用ミシン目
１５，１６，２４  剥離可能な接着剤層
１８  剥離剤層
１９  切り込み
【図１】
2010076104.tif 000003
【図２】
2010076104.tif 000004
【図３】
2010076104.tif 000005
【図４】
2010076104.tif 000006
【図５】
2010076104.tif 000007
【図６】
2010076104.tif 000008
【図７】
2010076104.tif 000009